(57)【要約】【課題】敷地の利用や景観形成に与える悪影響を抑えつつ、長期にわたってイノシシによる芝生の掘り起こしを防止することができる芝生保護構造及び芝生保護工法を提供すること。【解決手段】ジオテキスタイルネットに芝を一体化させた植生マット１と、前記植生マット１に連結され、該植生マット１の外側に位置し地面に埋め込まれる埋め込み部を有する埋め込み材２とを具備した。あるいは、芝の種子を保持する植生シートをジオテキスタイルネットに一体化させた植生マットと、前記植生マットに連結され、該植生マットの外側に位置し地面に埋め込まれる埋め込み部を有する埋め込み材とを具備した。【選択図】図２
2016154517.tif 000002
【特許請求の範囲】
【請求項１】
ジオテキスタイルネットに芝を一体化させた植生マットを具備し、該植生マットの端部には地面に埋め込まれる埋め込み部が設けられている芝生保護構造。
【請求項２】
ジオテキスタイルネットに芝を一体化させた植生マットと、前記植生マットに連結され、該植生マットの外側に位置し地面に埋め込まれる埋め込み部を有する埋め込み材とを具備した芝生保護構造。
【請求項３】
芝の種子を保持する植生シートをジオテキスタイルネットに一体化させた植生マットと、前記植生マットに連結され、該植生マットの外側に位置し地面に埋め込まれる埋め込み部を有する埋め込み材とを具備した芝生保護構造。
【請求項４】
前記植生マットの下面に不織布を装着した請求項１〜３の何れか一項に記載の芝生保護構造。
【請求項５】
請求項１〜４の何れか一項に記載の芝生保護構造を構築するための芝生保護工法であって、地面に形成した掘り込み溝内に前記埋め込み部を収容した後、該掘り込み溝を覆土する芝生保護工法。
【発明の詳細な説明】
【技術分野】
【０００１】
本発明は、例えば、イノシシによる芝生の掘り起こしを防止するための芝生保護構造及び芝生保護工法に関する。
【背景技術】
【０００２】
近年、イノシシによる芝生の掘り起こし被害の発生件数が特に公園緑地等で増加傾向にある。その対策として実施されているのは、花火などによる威嚇や忌避剤の散布が中心である。
【発明の概要】
【発明が解決しようとする課題】
【０００３】
しかし、上記の対策に長期間の効力維持を期待することはできず、イノシシに対する威嚇や芝生地周辺への忌避剤の散布を繰り返し実施するのは、労力面、コスト面で負担が大きい上、それらの効力が切れた間に深刻な被害が発生する恐れもある。また、イノシシが威嚇や忌避剤に慣れてしまうこともある。そこで、芝生地を柵で囲うことも考えられるが、柵によって敷地の利用が制限されたり景観形成に支障を来したりすることを考慮すると必ずしも望ましくない。
【０００４】
本発明は上述の事柄に留意してなされたもので、その目的は、敷地の利用や景観形成に与える悪影響を抑えつつ、長期にわたってイノシシによる芝生の掘り起こしを防止することができる芝生保護構造及び芝生保護工法を提供することにある。
【課題を解決するための手段】
【０００５】
上記目的を達成するために、本発明に係る芝生保護構造は、ジオテキスタイルネットに芝を一体化させた植生マットを具備し、該植生マットの端部には地面に埋め込まれる埋め込み部が設けられている（請求項１）。
【０００６】
また、本発明に係る芝生保護構造が、ジオテキスタイルネットに芝を一体化させた植生マットと、前記植生マットに連結され、該植生マットの外側に位置し地面に埋め込まれる埋め込み部を有する埋め込み材とを具備していてもよい（請求項２）。
【０００７】
また、本発明に係る芝生保護構造が、芝の種子を保持する植生シートをジオテキスタイルネットに一体化させた植生マットと、前記植生マットに連結され、該植生マットの外側に位置し地面に埋め込まれる埋め込み部を有する埋め込み材とを具備していてもよい（請求項３）。
【０００８】
上記各芝生保護構造において、前記植生マットの下面に不織布を装着してあってもよい（請求項４）。
【０００９】
一方、上記目的を達成するために、本発明に係る芝生保護工法は、請求項１〜４の何れか一項に記載の芝生保護構造を構築するための芝生保護工法であって、地面に形成した掘り込み溝内に前記埋め込み部を収容した後、該掘り込み溝を覆土する（請求項５）。
【発明の効果】
【００１０】
本願発明では、敷地の利用や景観形成に与える悪影響を抑えつつ、長期にわたってイノシシによる芝生の掘り起こしを防止することができる芝生保護構造及び芝生保護工法が得られる。
【００１１】
すなわち、本願の各請求項に係る発明の芝生保護構造では、植生マットの外周端部をイノシシが捲り上げることを、埋め込み部又は埋め込み材によって防止することができ、イノシシによる芝生の掘り起こしの防止効果は長期にわたって持続することになる。しかも、埋め込み部又は埋め込み材は、柵のように高さのあるものではなく、地面に埋め込まれるものであるので、敷地の利用や景観形成に与える悪影響は皆無に等しいといえる。
【００１２】
請求項４に係る発明の芝生保護構造では、芝の根が不織布に絡むことによる植生マットの強度向上を期待することができる。その上、不織布が土や砂を通さないものであれば、施工後の植生マットに対して周囲から飛散侵入してきた雑草の成長を抑制、妨害し、ひいては雑草の侵入を防止することができる。
【００１３】
請求項５に係る発明の芝生保護工法では、掘り込み溝内に埋め込まれる埋め込み部又は埋め込み材によって、植生マットを良好に保持することができる。
【図面の簡単な説明】
【００１４】
【図１】（Ａ）及び（Ｂ）は、本発明の一実施の形態に係る芝生保護工法の前半の構成を概略的に示す説明図である。
【図２】（Ａ）〜（Ｇ）は、前記芝生保護工法の後半の構成を概略的に示す説明図である。
【図３】植生マットの構成を概略的に示す説明図である。
【図４】（Ａ）〜（Ｃ）は、固定具の構成を概略的に示す正面図、側面図及び底面図である。
【図５】前記植生マットの製造方法を概略的に示す説明図である。
【図６】（Ａ）〜（Ｄ）は、前記植生マットの製造方法の各工程を概略的に示す説明図である。
【発明を実施するための形態】
【００１５】
本発明の実施の形態について図面を参照しながら以下に説明する。
【００１６】
本実施の形態に係る芝生保護工法は、図３に示す植生マット１を、図１（Ａ）に示すように、地面上に複数敷き並べ、このとき、隣り合う植生マット１の重なり合った部分に固定部材（例えばアンカーピン）を打ち込んで植生マット１どうしを連結すると共に各植生マット１を地面に固定し、敷き並べた複数の植生マット１の端部（平面視において敷き並べた複数の植生マット１の輪郭を形成する部分）に連結される埋め込み材２において、植生マット１の外側に位置する部分（埋め込み部）を地面に埋め込む（図２（Ａ）〜（Ｇ）参照）、というものである。
【００１７】
まず、植生マット１の構成について図３を参照しながら説明する。植生マット１は、たとえば平面視が１０００ｍｍ×３０００ｍｍあるいは２０００ｍｍ×３０００ｍｍの長方形状のものや、２０００ｍｍ×２０００ｍｍの正方形状のものであって、下面に不織布３が配置されたジオテキスタイルネット４に芝生マット（切芝）５を一体化させて成るものである。
【００１８】
不織布３は、平面視がほぼ矩形状で、化学繊維目付量が４０〜８０ｇ／ｍ2 となるように形成された部材であり、耐久性、耐腐食性に富む素材であるポリエステル繊維、やしマットなどを用いて形成されている。
【００１９】
ジオテキスタイルネット４は可撓性を有するネット材であり、平面視において不織布３とほぼ同じ形状であり、かつ幅１ｍ当たりの引っ張り強度が０．５〜４トン程度で、目合いが５〜７×５〜８ｍｍ程度となるように形成されている。ジオテキスタイルネット４は、耐久性に富む繊維、たとえばナイロンやポリエステル、アラミド、カーボン、ポリアセタールなどの繊維を用いて、格子状に成形したものであるが、上記の繊維による線条を用いて、上記と同様の目合いの網状体に編組したものにしてもよい。
【００２０】
芝生マット５は、複数の芝５ａと、芝５ａの根によって保持される土５ｂとからなる。この芝５ａには、例えば、野芝、高麗芝、ティフトン等の洋芝を用いることができる。
【００２１】
植生マット１は、芝生マット５が形成される主体部６と、この主体部６の周縁に張り出し、芝生マット５が形成されない張り出し部７とからなる。すなわち、主体部６は、不織布３とジオテキスタイルネット４と芝生マット５とからなる部分であり、張り出し部７は、不織布３とジオテキスタイルネット４とからなる部分である。
【００２２】
張り出し部７は、植生マット１（主体部６）の４辺のうち、幅方向の一端側に位置する１辺を除く他の３辺（二つの短辺と一つの長辺）に形成された、たとえば１００ｍｍ幅の張出部分７ａ〜７ｃからなり、その幅は適宜変更可能である。
【００２３】
上記の構成からなる植生マット１を図１（Ａ）に示すように敷き並べるに際しては、隣り合わせになる二枚の植生マット１の一方の張り出し部７の上に他方の主体部６を重ね、重なり合った主体部６及び張り出し部７に対して図外の固定部材を複数打ち込む、という作業を順次行っていく。また、複数の植生マット１を敷き並べる際に、植生マット１において長さ方向の一端側に位置する張出部分７ｃを現場で切り落とし、隣り合う植生マット１の間に主体部６が存在せず張り出し部７のみが存在するデッドスペースを形成しないようにして芝部分（主体部６）が全て密接するようにする。但し、敷き並べた複数の植生マット１の端部に位置し、その上側に他の植生マット１が重ねられない張り出し部７（本例では一部の張出部分７ｃ）は切り落とさない。
【００２４】
その後、図１（Ｂ）に示すように、敷き並べた複数の植生マット１の周囲に掘り込み溝８を形成すると共に、図２（Ａ）に示すように、敷き並べた複数の植生マット１の周囲に埋め込み材２を配置する。なお、植生マット１の敷き並べ（敷設）、掘り込み溝８の形成、埋め込み材２の配置はいずれを先に行ってもよく、並行して進めてもよい。
【００２５】
ここで、埋め込み材２としては、例えばジオテキスタイルネット４と同じ構成のものを用いることができる。
【００２６】
また、掘り込み溝８は、例えば深さ２５ｃｍ、幅４０ｃｍ程度の溝であり、敷き並べた複数の植生マット１の４辺に沿って形成された溝８ａ〜８ｄからなる。
【００２７】
そして、本実施形態では、植生マット１の４辺のうち３辺のみに張り出し部７（７ａ〜７ｃ）を設け、残りの１辺には張り出し部７を設けていないことに対応して、掘り込み溝８の溝８ａ〜８ｄのうち、溝８ａ〜８ｃには張り出し部７が収容されるが、溝８ｄには張り出し部７が収容されないのであり、こうした掘り込み溝８への張り出し部７の収容の有無の違いに応じて埋め込み材２の固定方法（埋め込み材２の埋め込み工程）を異ならせている。
【００２８】
すなわち、張り出し部７が収容される溝８ａ〜８ｃにおいては、まず、図２（Ｂ）に示すように、埋め込み材２の上端が掘り込み溝８の内周側にある植生マット１の主体部６の下に至り、下端が掘り込み溝８の底部に至るようにする。そして、図２（Ｃ）に示すように、埋め込み材２と植生マット１の張り出し部７の重なった部分に固定具９（図４（Ａ）〜（Ｃ）参照）を打設し、両者２，７を掘り込み溝８内に固定する。その後、掘り込み溝８を埋め戻し、掘り込み溝８を覆うように切芝１０を設置する（図２（Ｃ）及び（Ｄ）参照）。なお、切芝１０としては、例えば芝生マット５と同じものを用いることができる。
【００２９】
一方、張り出し部７が収容されない溝８ｄにおいては、まず、図２（Ｅ）に示すように、埋め込み材２の上端が掘り込み溝８の内周側にある植生マット１の主体部６の下に至り、下端が掘り込み溝８の底部に至るようにする。そして、図２（Ｆ）に示すように、主体部６において掘り込み溝８に臨むジオテキスタイルネット４から芝生マット５を部分的に（例えば１０ｃｍ程度の幅分だけ）引き剥がして捲り上げ、この状態で固定具９を打設して埋め込み材２及びジオテキスタイルネット４において露出した部分を地面に固定した後、捲り上げていた芝生マット５をその上から被せ、固定具９が表面に露出しないようにする。その一方、掘り込み溝８を埋め戻し、掘り込み溝８を覆うように切芝１０を設置する（図２（Ｆ）及び（Ｇ）参照）。なお、固定具９の打設と掘り込み溝８の埋め戻しは、何れを先に行ってもよく、並行して進めてもよい。
【００３０】
ところで、上述の植生マット１は、図５及び図６（Ａ）〜（Ｄ）に示すようにして製造することができる。すなわち、図６（Ａ）に示すように、圃場１１に不織布３を敷設した後、この不織布３の上に可撓性を有するジオテキスタイルネット４を重ね（図６（Ｂ））、このジオテキスタイルネット４の上から別途圃場１１で生育させた芝生マット（切芝）５を敷き詰める（図６（Ｃ））。そして、芝５ａの根が不織布３およびジオテキスタイルネット４に絡まった段階で（図６（Ｄ））、不織布３の下側に伸びた芝５ａの根を切断しつつ、ジオテキスタイルネット４を不織布３ごと圃場１１から剥がし取ることで、植生マット１の製造が完了する。
【００３１】
なお、上記の植生マット１の製造方法において、植生マット１の製造開始時にジオテキスタイルネット４の周辺部に角材Ｋ（図５参照）などを配置し、植生マット１の製造が完了した段階で、この角材Ｋなどを取り出すようにすれば、植生マット１に、芝生マット５が形成されない張り出し部７を設けることができる。
【００３２】
また、上記の角材Ｋなどの配置を省略して、植生マット１製造後に芝生マット５の周辺部を崩し取ることで、張り出し部７を形成するようにしてもよい。
【００３３】
なお、上記の張出部分７ａ〜７ｃの各端部に、ネット連結時の目ずれ防止のために、２〜５ｃｍ程度の幅で網目を密にした部分を形成しておくことが望ましい。
【００３４】
上記の構成からなる植生マット１の製造方法によれば、植生マット１の下面に不織布３が形成されていることから、植生マット１の下方へ進入する芝５ａの根の量が、不織布３を設けない場合に比べて少なくなり、圃場１１から植生マット１を剥がし取るという作業を、より小さな力で行うことが可能となる。
【００３５】
なお、植生マット１のジオテキスタイルネット４に対する不織布３の装着は、芝生マット５の芝５ａの根を不織布３およびジオテキスタイルネット４に絡ませることによって行うことができるが、これに加えて、たとえば紐や接着剤などを用いて装着するようにしてもよい。
【００３６】
上記のようにして実施される芝生保護工法によって構築される芝生保護構造は、ジオテキスタイルネット４に芝５ａを一体化させた植生マット１と、地面上に敷設された状態の植生マット１の端部に連結され、地面に埋め込まれる埋め込み材２とを具備したものとなる。そして、この芝生保護構造では、敷き並べた植生マット１の外周端部をイノシシが捲り上げることを、埋め込み材２によって防止することができ、イノシシによる芝生の掘り起こしの防止効果は長期にわたって持続することになる。
【００３７】
しかも、埋め込み材２は、柵のように高さのあるものではなく、地面に埋め込まれるものであるので、敷地の利用や景観形成に与える悪影響は皆無に等しいといえる。
【００３８】
また、この芝生保護構造では、隣り合う植生マット１の一方の張り出し部７の上に他方を重ね合わせ、その重なり合った部分に固定部材を打設するようにしてある。従って、ジオテキスタイルネット４にイノシシの鼻や牙によって破壊されない程度の強度を持たせておけば、イノシシにとって敷き並べた植生マット１を捲り上げるのに都合の良い部位が形成されなくなるので、イノシシからの芝生の保護をより万全なものとすることが可能となる。
【００３９】
加えて、ジオテキスタイルネット４の下面には不織布３を設けるので、芝５ａの根が不織布３に絡むことによる植生マット１の強度向上を期待することもできる。その上、不織布３が土や砂を通さないものであれば、施工後の植生マット１に対して周囲から飛散侵入してきた雑草の成長を抑制、妨害し、ひいては雑草の侵入を防止することができる。
【００４０】
さらに、芝生マット５の強い表層根が不織布３およびジオテキスタイルネット４に強固に根絡みした保形性の高い植生マット１を用いつつ、隣り合う植生マット１どうしを重ね合わせて固定部材で地面に固定するので、実質的に四側辺が互いに連結された芝生マット５を、不織布３およびジオテキスタイルネット４を介して地面に強固に張り付けることができ、芝生マット５は時を経て地面に強固に根張りすることになる。
【００４１】
なお、本発明は、上記の実施の形態に何ら限定されず、本発明の要旨を逸脱しない範囲において種々に変形して実施し得ることは勿論である。例えば、以下のような変形例を挙げることができる。
【００４２】
図１及び図２に示す例では、植生マット１を３行３列の行列状に並べているが、これに限らず、植生マット１の数（単数でもよい）や配置の仕方は任意に変更可能である。
【００４３】
そして、植生マット１を、以下のようにして製造してもよい。すなわち、まず、圃場１１に不織布３を敷設した後、この不織布３の上に可撓性を有するジオテキスタイルネット４を重ね、ジオテキスタイルネット４の上から芝５ａのランナーを植えて覆土を施し、芝５ａの根が不織布３およびジオテキスタイルネット４に絡まり、ランナーが芝生マット５に育成した段階で、不織布３の下側に伸びた芝５ａの根を切断しつつ、ジオテキスタイルネット４を不織布３ごと圃場１１から剥がし取るようにしてもよい。
【００４４】
あるいは、不織布３を適宜たとえば作業台上に展開させて、この上に可撓性を有するジオテキスタイルネット４を重ね、さらにこの上に芝生マット５を配置し、この三者をステイプルなどによる結束や、その他、縫製などの連結手段（ともに図示せず）によって一体化させ、植生マット１を得るようにしてもよい。
【００４５】
この製造方法によれば、不織布３およびジオテキスタイルネット４には芝生マット５の芝５ａの根が絡まっていないものの、この三者が連結手段によって一体化されていることから、植生マット１の重ね合わせ部に固定部材を打設することで、実質的に芝生マット５を、不織布３およびジオテキスタイルネット４を介して地面に強固に張り付けることができるのであり、やがては時を経て、芝生マット５の芝５ａの根が不織布３およびジオテキスタイルネット４に絡みつつ、地面に根張りする。そして、この製造方法によれば、予め生育させた芝生マット５を用いることに加えて、芝生マット５の不織布３およびジオテキスタイルネット４への根絡みを待つ必要がないことから、その時間分、植生マット１の製造時間をさらに短縮することができる。
【００４６】
また、植生マット１を予め圃場１１や作業台上等で製造し、完成した植生マット１を現場に搬入するのではなく、圃場１１や作業台上等で行っていた植生マット１を製造するための作業を現場の地面上で直接行うようにし、搬入に掛かる労力を軽減するようにしてもよい。例えば、芝生保護構造を設置しようとする地面上に不織布３及びジオテキスタイルネット４を敷設した後、その上から芝生マット（切芝）５を敷設し、芝５ａの根が不織布３およびジオテキスタイルネット４に絡まるのを待ったり、このように待つことなくアンカーピンやステイプル等で三者３〜５を連結したり、芝生マット５に替えて芝５ａのランナーを植えて覆土を施すようにしたり、といったことを行ってもよく、いずれにしても最終的には植生マット１を得ることができる。
【００４７】
あるいは、例えば不織布、薄綿、クレープ紙等の何れかからなるシート状体に芝５ａの種子を接着剤によって接着等することにより保持させた植生シートを形成し、この植生シートをジオテキスタイルネット４の下面に接着あるいは連結することにより、植生マット１を得るようにしてもよい。この場合、植生シートの下面に不織布３を装着してもよいし、しなくてもよい。
【００４８】
図１〜図３に示す例では、植生マット１の３辺のみに張り出し部７を設けているが、これに限らず、例えば、植生マット１の４辺に（植生マット１の周囲全体にわたって）張り出し部７を設けてあってもよいし、植生マット１の４辺のうちの互いに隣り合う２辺のみに張り出し部７を設けてもよい。また、張り出し部７の設けられている辺の数を一律にする必要はなく、その辺の数が異なる植生マット１（張り出し部７を持たない植生マット１や１辺のみに張り出し部７を有する植生マット１を含む）を併用するようにしてもよく、この場合は敷設位置に応じて適宜の構成の植生マット１を選択すればよい。
【００４９】
そして、例えば植生マット１の４辺のうち３辺以上に張り出し部７を設けてある植生マット１のみを用いる場合、植生マット１の４辺のうち互いに隣り合う２辺にのみ張り出し部７を残すように張り出し部７の切り落としを行わなければ、複数の植生マット１を敷き並べる際に、隣り合う植生マット１の張り出し部７どうしを重ね合わせ、その重ね合わせた部分に固定部材を打設することになり、そうすると、その重ね合わせた部分が芝生のないデッドスペースになる。
【００５０】
このデッドスペースの形成を避けるためには、複数の植生マット１を敷き並べた際に植生マット１の主体部６どうしが密接するようにすればよく、具体的には、植生マット１の４辺のうち互いに隣り合う２辺にのみ張り出し部７が残るように、他の張り出し部７を予めあるいはその場で切り落としたり（図１〜図３に示す例を参照）、主体部６の下側に上記他の張り出し部７を折り畳んだりすることが考えられる。また、張り出し部７の切り落とし等を行わないようにして上記デッドスペースの形成を許容してもよいし、一旦デッドスペースを形成し、そのデッドスペースの上側に芝生マット（切芝）５等を別途敷設することにより、デッドスペースを無くすようにしてもよい。
【００５１】
また、本実施形態で用いる固定具９は、図４（Ａ）〜（Ｃ）に示すように、略矩形状のベース板部９ａと、このベース板部９ａに一列に設けられた少なくとも二つ（図示例では計四つ）の爪９ｂとを有し、各爪９ｂは先端部を尖頭加工してなる断面視十字型棒状を呈するものである。そして、この固定具９は、ネット状の埋め込み材２とジオテキスタイルネット４により構成される張り出し部７との重ね合わせ部分にそれぞれの網目を通過するようにして地面へ突き刺すことで、両者２，４がずれることを防ぎながら強固に地面へ固定することのできるものである。このような固定具９としては、例えば意匠公報第１３９１１３４号公報に記載のネット固定具を用いることができるが、これに限らず、例えばアンカーピン等、種々の構成のものを固定具９として使用可能である。
【００５２】
埋め込み材２としては、ネット状のものに限らず、シート状のものでもよい。いずれにしても、張り出し部７を構成するジオテキスタイルネット４と連結可能であり、例えば固定具９やアンカーピン等で張り出し部７に連結し、かつ地面に固定したときに破れない程度以上の強度を有するものを用いることが好ましい。
【００５３】
図１（Ｂ）及び図２（Ａ）〜（Ｇ）に示す例では、敷設した植生マット１の主体部６が掘り込み溝８を臨む位置にあるが、これに限らず、主体部６が掘り込み溝８からいくらか離れていてもよいし、逆に主体部６が掘り込み溝８内にいくらか進入するように構成されていてもよい。すなわち、敷設された複数の植生マット１の端部に連結される埋め込み材２において植生マット１の外側に位置する部分の全部を地面に埋め込んでもよいし、一部のみを埋め込むようにしてもよい。
【００５４】
図２（Ｂ）〜（Ｇ）に示す例において、植生マット１の主体部６と埋め込み材２とが重なった部分にアンカーピン等の固定部材を別途打設してもよいし、しなくてもよい。
【００５５】
図２（Ａ）〜（Ｇ）に示す例では、植生マット１の端部に、地面に埋め込まれる埋め込み部を設けるにあたり、植生マット１とは別体の埋め込み材２を用いているが、これに限らず、例えば植生マット１の端部（張り出し部７）の幅を広くし、その一部が地面に埋め込まれる埋め込み部となるように構成してもよい。このように埋め込み部を植生マット１と別体ではなく一体に設けた場合、埋め込み材２の設置や植生マット１への連結を行う手間を省くことができる。
【００５６】
上述した各例において、不織布３を設けなくてもよい。
【００５７】
なお、上記変形例どうしを適宜組み合わせてもよいことはいうまでもない。また、各例の適用箇所は、平坦地（例えば公園等の人が利用する場所）であっても法面であってもよい。
【符号の説明】
【００５８】
１    植生マット
２    埋め込み材
３    不織布
４    ジオテキスタイルネット
５    芝生マット
５ａ  芝
５ｂ  土
６    主体部
７    張り出し部
７ａ  張出部分
７ｂ  張出部分
７ｃ  張出部分
８    掘り込み溝
８ａ  溝
８ｂ  溝
８ｃ  溝
８ｄ  溝
９    固定具
９ａ  ベース板部
９ｂ  爪
１０    切芝
１１    圃場
Ｋ    角材
【図１】
2016154517.tif 000003
【図２】
2016154517.tif 000004
【図３】
2016154517.tif 000005
【図４】
2016154517.tif 000006
【図５】
2016154517.tif 000007
【図６】
2016154517.tif 000008